(57)【要約】【課題】上掛け具のずれを防止するとともに、下敷き具と上掛け具との間からの冷気の侵入を防止して安眠できるようにした寝具装置を提供する。【解決手段】この発明の寝具装置１０は、ベッドのマットレス２を囲むように設けられ、ベッド１００のマットレス２の上面から植立する板状部材１１−1、１１−２、１１−３を有し、板状部材１１−1、１１−２、１１−３は、その上部に下敷き具の外側方向に湾曲し、下敷き具側に傾斜した傾斜部１３ａを形成する屈曲部１３を有し、板状部材１１−1、１１−３は、その下端部にマットレス２の下に敷き込むことによって、この寝具装置１０をベッド１００のマットレス２に固定する複数の舌部１２−１ａ、１２−１ｂ、１２−３ａ、１２−３ｂを有する。【選択図】図１
2014161424.tif 000002
【特許請求の範囲】
【請求項１】
下敷き具と上掛け具とを有する寝具に装着される寝具装置であって、
前記下敷き具に一部が固定され、他部が前記下敷き具の上面から植立して前記下敷き具の周囲を囲むように設けられる上掛け具ずれ防止兼冷気侵入防止部材
を有し、
前記上掛け具ずれ防止兼冷気侵入防止部材は、
その上部に前記下敷き具の外側方向に屈曲し、前記下敷き具側に傾斜する傾斜部を形成する屈曲部を有することを特徴とする寝具装置。
【請求項２】
前記上掛け具ずれ防止兼冷気侵入防止部材は、
その一部が前記下敷き具の下に敷き込まれることにより前記下敷き具に固定されることを特徴とする請求項１に記載の寝具装置。
【請求項３】
前記上掛け具ずれ防止兼冷気侵入防止部材は、
前記下敷き具の上面から植立する部分の高さが、前記上掛け具の厚さの０．５倍から２倍に設定されていることを特徴とする請求項１または２に記載の寝具装置。
【請求項４】
前記上掛け具ずれ防止兼冷気侵入防止部材は、
前記下敷き具の周囲を囲む前記他部の少なくとも一辺の少なくとも一部が、前記下敷き具に対して垂直方向に摺動自在に取り付けられるとともに、該上掛け具ずれ防止兼冷気侵入防止部材の上端位置で該上掛け具ずれ防止兼冷気侵入防止部材の摺動を固定するロック手段を有することを特徴とする請求項１乃至３のいずれか１項に記載の寝具装置。
【請求項５】
前記上掛け具ずれ防止兼冷気侵入防止部材の各板状部材は、
その長手方向の長さを伸縮自在に調節する調節手段をそれぞれ有することを特徴とする請求項１乃至４のいずれか１項に記載の寝具装置。
【請求項６】
前記下敷き具は、ベッドのマットレスであることを特徴とする請求項１乃至５のいずれか１項に記載の寝具装置。
【請求項７】
前記下敷き具は、敷布団であることを特徴とする請求項１乃至５のいずれか１項に記載の寝具装置。
【請求項８】
前記上掛け具ずれ防止兼冷気侵入防止部材は、
前記下敷き具の上面から植立して前記下敷き具の周囲を囲むように設けられる４つの板状部材と、
前記４つの板状部材のうちの少なくとも２つの板状部材の下端に接続され、前記下敷き具の下に引き込まれる複数の舌部と、
を具備し、
前記４つの板状部材の相互の接続部および前記板状部材の下端と前記舌部とのそれぞれの接続部は、それぞれヒンジを介して屈曲可能に接続され、これにより平面状に折り畳んで収納することを可能にしたことを特徴とする請求項７に記載の寝具装置。
【発明の詳細な説明】
【技術分野】
【０００１】
本発明は、マットレス、敷布団等に装着して使用する寝具装置に関し、特に、上掛け布団等のずれを防止するとともに、マットレス、敷布団等と上掛け布団等の間からの冷気の侵入を防止するようにした寝具装置に関する。
【背景技術】
【０００２】
人間は、目が覚めているときは、身体の恒常性維持を行う自律神経の働きで、ある程度の体温調節が効き、また衣類を着用する事で体温調節を行っている。しかし、就寝時には、この自律神経の働きが鈍るので、外気によって奪われる熱を遮断して暖かく安眠するための寝具が必要となる。
【０００３】
ところで、この種の寝具は、一般に、下に敷くマットレス、敷布団等（以下、「下敷き具」という）と、この下敷き具の上に掛けて用いられる上掛け布団等（以下、「上掛け具」という）とから構成されるが、この種の寝具においては、就寝中に上掛け具が下敷き具からずれて、十分な保温効果が得られなくなるという問題があり、また、下敷き具と上掛け具との間からの冷気の侵入が避けられないという問題がある。
【０００４】
従来、上掛け具の下敷き具からのずれを防止する寝具装置としては、特許文献１乃至３等に開示されたものが知られている。
【先行技術文献】
【特許文献】
【０００５】
【特許文献１】特開２０１２−１３５３５５号公報
【特許文献２】特開２００５−１９８８２４号公報
【特許文献３】特開２００２−０１７５３８号公報
【発明の概要】
【発明が解決しようとする課題】
【０００６】
しかしながら、上記特許文献１乃至３に開示された寝具装置は、いずれも下敷き具に上掛け具の一部を直接若しくは間接的に固定するように構成されているので、このため就寝者の動きを制限し、このことによって安眠を妨げるという問題があった。
【０００７】
また、これらの寝具装置においては、ある程度の上掛け具の下敷き具からのずれは防止することはできても、下敷き具と上掛け具との間から侵入する冷気に関する問題点については解決できなかった。
【０００８】
そこで、本発明は、上掛け具の下敷き具からのずれを防止するとともに、下敷き具と上掛け具との間からの冷気の侵入を防止して安眠できるようにした寝具装置を提供することを目的とする。
【課題を解決するための手段】
【０００９】
上記の目的を達成するため、請求項１の発明は、下敷き具と上掛け具とを有する寝具に装着される寝具装置であって、前記下敷き具に一部が固定され、他部が前記下敷き具の上面から植立して前記下敷き具の周囲を囲むように設けられる上掛け具ずれ防止兼冷気侵入防止部材を有し、前記上掛け具ずれ防止兼冷気侵入防止部材は、その上部に前記下敷き具の外側方向に屈曲し、前記下敷き具側に傾斜する傾斜部を形成する屈曲部を有することを特徴とする。
【００１０】
請求項２の発明は、請求項１の発明において、前記上掛け具ずれ防止兼冷気侵入防止部材は、その一部が前記下敷き具の下に敷き込まれることにより前記下敷き具に固定されることを特徴とする。
【００１１】
請求項３の発明は、請求項１または２の発明において、前記上掛け具ずれ防止兼冷気侵入防止部材は、前記下敷き具の上面から植立する部分の高さが、前記上掛け具の厚さの０．５倍から２倍に設定されていることを特徴とする。
【００１２】
請求項４の発明は、請求項１乃至３のいずれか１項の発明において、前記上掛け具ずれ防止兼冷気侵入防止部材は、前記下敷き具の周囲を囲む前記他部の少なくとも一辺の少なくとも一部が、前記下敷き具に対して垂直方向に摺動自在に取り付けられるとともに、該上掛け具ずれ防止兼冷気侵入防止部材の上端位置で該上掛け具ずれ防止兼冷気侵入防止部材の摺動を固定するロック手段を有することを特徴とする。
【００１３】
請求項５の発明は、請求項１乃至４のいずれか１項の発明において、前記上掛け具ずれ防止兼冷気侵入防止部材の各板状部材は、その長手方向の長さを伸縮自在に調節する調節手段をそれぞれ有することを特徴とする。
【００１４】
請求項６の発明は、請求項１乃至５のいずれか１項の発明において、前記下敷き具は、ベッドのマットレスであることを特徴とする。
【００１５】
請求項７の発明は、請求項１乃至５のいずれか１項の発明において、前記下敷き具は、敷布団であることを特徴とする。
【００１６】
請求項８の発明は、請求項７の発明において、前記上掛け具ずれ防止兼冷気侵入防止部材は、前記下敷き具の上面から植立して前記下敷き具の周囲を囲むように設けられる４つの板状部材と、前記４つの板状部材のうちの少なくとも２つの板状部材の下端に接続され、前記下敷き具の下に引き込まれる複数の舌部と、を具備し、前記４つの板状部材の相互の接続部および前記板状部材の下端と前記舌部とのそれぞれの接続部は、それぞれヒンジを介して屈曲可能に接続され、これにより平面状に折り畳んで収納することを可能にしたことを特徴とする。
【発明の効果】
【００１７】
本発明によれば、下敷き具と上掛け具とを有する寝具に装着される寝具装置であって、下敷き具に一部が固定され、他部が下敷き具の上面から植立して下敷き具の周囲を囲むように設けられた上掛け具ずれ防止兼冷気侵入防止部材を有し、上掛け具ずれ防止兼冷気侵入防止部材は、その上部に下敷き具の外側方向に屈曲し、下敷き具側に傾斜する傾斜部を形成する屈曲部を有するように構成したので、上掛け具の下敷き具からのずれを防止するとともに、下敷き具と上掛け具との間からの冷気の侵入を確実に防止することができ、これにより安眠を提供することができるという効果を奏する。
【図面の簡単な説明】
【００１８】
【図１】図１は、本発明に係る寝具装置の実施例１を示す概略斜視図である。
【図２】図２は、図１に示した実施例１の寝具装置のベッドに対する装着状態およびその機能を説明する一部拡大断面図である。
【図３】図３は、図２で説明した屈曲部の変形例を示す一部拡大断面図である。
【図４】図４は、本発明に係る寝具装置の実施例２を示す概略斜視図である。
【図５】図５は、図４に示した実施例２の要部を説明する一部拡大断面図である。
【図６】図６は、本発明に係る寝具装置の実施例３を示す概略斜視図である。
【図７】図７は、本発明に係る寝具装置の実施例４を示す概略斜視図である。
【図８】図８は、図７に示した寝具装置の収納状態を説明する概略図である。
【発明を実施するための形態】
【００１９】
以下、本発明を実施するための実施例について、願書に添付した図面を参照しながら詳細に説明する。
【実施例１】
【００２０】
図１は、本発明に係る寝具装置の実施例１を示す概略斜視図で、図１（Ａ）は、実施例１の寝具装置をベッドに装着した状態を示す図であり、図１（Ｂ）は、実施例１の寝具装置を抜き出して示した図である。
【００２１】
図１に示すこの実施例１の寝具装置１０が適用されるベッド１００は、図１（Ａ）に示すように、就寝者の頭側にヘッドボード１を有する形式のベッドが用いられる。
【００２２】
実施例１の寝具装置１０は、図１（Ｂ）に示すように、ベッド１００のマットレス２（請求項１の下敷き具に対応）を囲むように互いに一部が接続して設けられ、ベッド１００のマットレス２の上面から植立する全体で略コの字形の板状部材（請求項１の上掛け具ずれ防止兼冷気侵入防止部材の他部に対応）１１−１、１１−２、１１−３を有する。
【００２３】
板状部材１１−１には、その下端部に、マットレス２側に折れ曲がった舌部（請求項１の上掛け具ずれ防止兼冷気侵入防止板状体の一部に対応）１２−１ａ、１２−１ｂが設けられ、その上端部分には、マットレス２の外側方向に湾曲し、マットレス２の内側に傾斜する傾斜部を形成する屈曲部１３−１が設けられている。
【００２４】
板状部材１１−２の上端部分には、屈曲部１３−１と同様に、マットレス２の外側方向に湾曲し、マットレス２の内側に傾斜する傾斜部を形成する屈曲部１３−２が設けられている。
【００２５】
板状部材１１−３には、板状部材１１−１と同様に、その下端部に、マットレス２側に折れ曲がった舌部１２−３ａ、１２−３ｂが設けられ、その上端部分には、マットレス２の外側方向に湾曲し、マットレス２の内側に傾斜する傾斜部を形成する屈曲部１３−３が設けられている。
【００２６】
ここで、板状部材１１−１、１１−２、１１−３は、この寝具装置１０をベッド１００に対して装着したときに、マットレス２と図示しない上掛け布団（請求項１の上掛け具に対応）との間隙からの冷気の侵入を防止する機能を有する。
【００２７】
舌部１２−１ａ、１２−１ｂ、１２−３ａ、１２−３ｂは、この寝具装置１０のベッド１００に対する装着時にマットレス２の下に敷き込まれ、板状部材１１−１、１１−２、１１−３をベッド１００に固定する機能を有する。
【００２８】
屈曲部１３−１、１３−２、１３−３は、後に詳述するようにマットレス２に対する図示しない上掛け布団のずれを防止する機能を有する。
【００２９】
なお、板状部材１１−１、１１−２、１１−３は、各種形状のベッドに装着可能にするために、図１（Ｂ）に矢印Ｘ、Ｙで示すその長手方向に、長さを伸縮自在に調節する調節手段をそれぞれ設けられる。この調節手段としては、例えば、板状部材１１−１、１１−２、１１−３をそれぞれ長手方向中央部で２つに分割し、その分割部の先端が対応する他の部分の内部で摺動するようにした入れ子型の摺動機構を採用することができる。
【００３０】
図２は、図１に示した寝具装置のベッドに対する装着状態を示すおよびその機能を説明する一部拡大断面図である。
【００３１】
図２（Ａ）は、図１に示した寝具装置１０のベッド１００に対する装着状態を示している。図２（Ａ）に示すように、図１に示した寝具装置１０をベッド１００に装着する場合は、板状部材１１（１１−１、１１−３）の下端部から折れ曲がった舌部１２（１２−１ａ、１２−１ｂ、１２−３ａ、１２−３ｂ）をベッド１００のマットレス２の下に敷き込み、これにより、板状部材１１を、ベッド１００に固定する。
【００３２】
ここで、この板状部材１１のマットレス２の上面から植立する部分の高さ（図２に示す高さＨ）は、図示しない上掛け布団の厚さの０．５倍から２倍程度が好ましい。
【００３３】
その理由は、図２に示す高さＨが、上掛け布団の厚さの０．５倍に満たないと、十分な冷気侵入防止効果が得られず、また、この図２に示す高さＨが、上掛け布団の厚さの２倍以上になると、就寝に際して圧迫感が生じてしまうからである。
【００３４】
板状部材１１（１１−１、１１−２、１１−３）の上端部には、マットレス２の外側方向に湾曲し、マットレス２の内側に傾斜する傾斜部１３ａを形成する屈曲部１３（１３−１、１３−２、１３−３）が設けられている。この屈曲部１３により形成される傾斜部１３ａの水平方向に対する角度θは、０度〜６０度程度が好ましい。この屈曲部１３の傾斜部１３ａにより、図２（Ｂ）に示すように、マットレス２の上に掛けられた上掛け布団３の周縁部には矢印Ａ方向の力が働き、これにより上掛け布団３がマットレス２の上面からずれるのを防止することができる。
【００３５】
また、マットレス２と上掛け布団３との間隙は、板状部材１１により封止されるので、マットレス２と上掛け布団３との間隙からの冷気の侵入を効果的に防止できる。
【００３６】
図３は、図２で説明した屈曲部の変形例を示す一部拡大断面図である。
【００３７】
図１および図２に示した寝具装置１０においては、板状部材１１の上端部に、マットレス２の外側方向に湾曲し、マットレス２の内側に傾斜する傾斜部１３ａを形成する屈曲部１３を形成するように構成したが、この屈曲部１３は、図３（Ａ）に示すように、板状部材１１から角度θで直線的に折れ曲がった傾斜部１３ａを有する形状を採用することもできる。
【００３８】
また、図３（Ｂ）に示すように、この直線的に折れ曲がった傾斜部１３ａの先端を更に内側に折り返した形状のものを採用することもできる。
【００３９】
なお、上記実施例１における寝具装置１０の製作に際して使用可能な材料としては、木、鉄、プラスチック等を用いることができる。また、これらを保温性を有する布等で包んだ材料を用いることもできる。
【００４０】
また、板状部材１１を、ウレタンフォーム等の屈曲可能な材料で形成することもでき、このように構成すれば、就寝者のベッド１００のマットレス２上への乗り降りを容易にすることができる。
【００４１】
また、上記実施例１の寝具装置１０においては、舌部１２をマットレス２の下に敷き込むことによりこの寝具装置１０をベッド１００に固定するように構成したが、板状部材１１の下部をベッド１００の図示しないベッドフレーム等に直接固定するようにしてもよい。
【００４２】
また、上記実施例１の寝具装置１０は、就寝者の頭側にヘッドボード１を有する形式のベッドに限らず、就寝者の足側にフットボードを有する形式のベッドにも同様に装着可能である。この場合は、図１に示した板状部材１１−２は不要になる。
【実施例２】
【００４３】
実施例１に示した寝具装置１０においては、ベッド１００のマットレス２を囲むように略コの字形の板状部材１１−１、１１−２、１１−３を設けて構成したので、板状部材１１−１、１１−２、１１−３の材質、マットレス２の上面から植立する部分の高さ（図２に示す高さＨ）によっては、就寝者のベッド１００のマットレス２上への乗り降りが困難になる場合がある。
【００４４】
そこで、実施例２の寝具装置２０においては、板状部材１１の少なくとも１つ、具体的には板状部材１１−１を上下に摺動可能にして、就寝者のベッド２００のマットレス２上への乗り降りが容易になるように構成される。
【００４５】
図４は、本発明に係る寝具装置の実施例２を示す概略斜視図である。
【００４６】
図４に示す実施例２の寝具装置２０においては、板状部材１１−１が矢印Ｚで示す垂直方向に摺動可能に構成されている。このように構成するため、板状部材１１−１は、隣接する板状部材１１−２と接続されていない。その他の構成は図１乃至３で説明した実施例１の寝具装置１０と同様に構成される。
【００４７】
この構成において、就寝者がベッド２００に乗り降りする場合は、図４に示すように、板状部材１１−１をその下端位置まで下ろす。この状態においては、板状部材１１−１の上端は、ベッド２００のマットレス２の上面位置より低くなるので、就寝者は、容易にベッド２００に乗り降りすることができる。
【００４８】
就寝者がベッド２００のマットレス２上に乗って就寝するときは、板状部材１１−１をその上限位置まで上げる。この状態においては、図１乃至３で説明した実施例１の寝具装置１０と同様になるので、マットレス２と図示しない上掛け布団との間隙から侵入する冷気を有効に防止できるとともに、マットレス２の上面からの上掛け布団のずれを防止することができる。
【００４９】
図５は、図４に示した実施例２の要部を説明する一部拡大断面図である。この図５にはベッド２００に対して板状部材１１−１を矢印Ｚ方向に摺動する摺動機構の一例が示されている。
【００５０】
図５（Ａ）は、板状部材１１−１がその上端位置にある状態を示し、図５（Ｂ）は、板状部材１１−１がその下端位置にある状態を示す。
【００５１】
すなわち、図５（Ａ）、（Ｂ）に示すように、この寝具装置２０には、板状部材１１−１に対応して、この板状部材１１−１を上下に摺動可能にするためのガイド部材２１が設けられており、このガイド部材２１および板状部材１１−１には、板状部材１１−１をその上端位置でロックするロック機構である孔２２ａ、２２ｂが設けられている。
【００５２】
板状部材１１−１がその上端位置、すなわち、図５（Ａ）に示す位置にあるとき、孔２２ａ、２２ｂにロックピン２２を差し込むことにより、板状部材１１−１をその上端位置で固定することができる。
【００５３】
実施例２の寝具装置２０の使用に際しては、この寝具装置２０をベッド２００に装着し、ロックピン２２を孔２２ａ、２２ｂから引き抜くことにより、板状部材１１−１を図５（Ｂ）に示すようにその下端位置まで下げる。この状態において、板状部材１１−１の上端は、ベッド２００のマットレス２の上面位置より低くなるので、就寝者は、容易にベッド２００に乗り降りすることができる。
【００５４】
就寝者がベッド２００のマットレス２上に乗って就寝するときは、板状部材１１−１を図５（Ａ）に示すようにその上限位置まで上げ、孔２２ａ、２２ｂにロックピン２２を差し込むことにより、板状部材１１−１をその上端位置で固定する。この状態で、実施例２の寝具装置２０は、実施例１の寝具装置１０と同様になるので、マットレス２と図示しない上掛け布団との間隙から侵入する冷気を有効に防止できるとともに、マットレス２の上面からの上掛け布団のずれを防止することができる。
【００５５】
なお、上記実施例では、板状部材１１−１が矢印Ｚ方向に摺動するように構成したが、板状部材１１−１の全体ではなく、板状部材１１−１の長手方向の一部が矢印Ｚ方向に摺動するように構成してもよい。
【実施例３】
【００５６】
図６は、本発明に係る寝具装置の実施例３を示す概略斜視図である。
【００５７】
実施例１および実施例２においては、本発明に係る寝具装置をベッドに装着する場合を示したが、本発明に係る寝具装置は、床または畳上に敷布団を敷いた寝具にも適用可能である。
【００５８】
図６に示す本発明に係る寝具装置の実施例３においては、床または畳上に敷布団を敷いた寝具３００に適用する場合を示している。
【００５９】
実施例３の寝具装置３０は、図６（Ｂ）に示すように、床または畳上に直接敷く敷布団（請求項１の下敷き具に対応）４を囲むように互いに一部が接続して設けられ、敷布団４の上面から植立する全体で略コの字形の板状部材（請求項１の上掛け具ずれ防止兼冷気侵入防止部材の他部に対応）１１−１、１１−２、１１−３を有する。
【００６０】
板状部材１１−１には、その下端部に、敷布団４側に折れ曲がった舌部（請求項１の上掛け具ずれ防止兼冷気侵入防止板状体の一部に対応）１２−１ａ、１２−１ｂが設けられ、その上端部分には、敷布団４の外側方向に湾曲し、マットレス２の内側に傾斜する傾斜部を形成する屈曲部１３−１が設けられている。
【００６１】
板状部材１１−２の上端部分には、屈曲部１３−１と同様に、敷布団４の外側方向に湾曲し、敷布団４の内側に傾斜する傾斜部を形成する屈曲部１３−２が設けられている。
【００６２】
板状部材１１−３には、板状部材１１−１と同様に、その下端部に、敷布団４側に折れ曲がった舌部１２−３ａ、１２−３ｂが設けられ、その上端部分には、敷布団４の外側方向に湾曲し、敷布団４の内側に傾斜する傾斜部を形成する屈曲部１３−３が設けられている。
【００６３】
板状部材１１−４の上端部分には、屈曲部１３−１と同様に、敷布団４の外側方向に湾曲し、敷布団４の内側に傾斜する傾斜部を形成する屈曲部１３−４が設けられている。
【００６４】
ここで、板状部材１１−１、１１−２、１１−３、１１−４は、この寝具装置３０を敷布団４に対して装着したときに、敷布団４と図示しない上掛け布団（請求項１の上掛け具に対応）との間隙からの冷気の侵入を防止する機能を有する。
【００６５】
舌部１２−１ａ、１２−１ｂ、１２−３ａ、１２−３ｂは、この寝具装置３０の敷布団４に対する装着時に敷布団４の下に敷き込まれ、板状部材１１−１、１１−２、１１−３１１−４を敷布団４に固定する機能を有する。
【００６６】
屈曲部１３−１、１３−２、１３−３、１３−４は、敷布団４に対する図示しない上掛け布団のずれを防止する機能を有する。
【００６７】
なお、板状部材１１−１、１１−２、１１−３、１１−４は、各種形状の敷布団４に装着可能にするために、図６（Ｂ）に矢印Ｘ、Ｙで示すその長手方向に、長さを伸縮自在に調節する調節手段をそれぞれ設けられる。この調節手段としては、例えば、板状部材１１−１、１１−２、１１−３をそれぞれ長手方向中央部で２つに分割し、その分割部の先端が対応する他の部分の内部で摺動するようにした入れ子型の摺動機構を採用することができる。
【００６８】
図６（Ａ）は、図６（Ｂ）に示す寝具装置３０を図６（Ａ）に示す敷布団４に装着した状態を示すもので、寝具装置３０の舌部１２−１ａ、１２−１ｂ、１２−３ａ、１２−３ｂを、敷布団４の下に敷き込むことによって、この寝具装置３０を敷布団４に固定し、この状態で敷布団４の上に図示しない上掛け布団（請求項１の上掛け具に対応）および枕等が乗せられる。
【実施例４】
【００６９】
図７は、本発明に係る寝具装置の実施例４を示す概略斜視図である。
【００７０】
実施例３の寝具装置３０は、床または畳上に敷布団を敷いた寝具に適用されるので、昼間は容易に、かつ大きな収容スペースを必要とせずに片付けられるのが好ましい。
【００７１】
そこで、図７に示す実施例４の寝具装置４０においては、板状部材１１−４と板状部材１１−１との間、板状部材１１−１と板状部材１１−２との間、板状部材１１−２と板状部材１１−３との間、板状部材１１−３と板状部材１１−４との間をそれぞれヒンジ４１−１、４１−２、４１−３、４１−４で接続することによって、それぞれの間を屈曲可能に構成し、また、板状部材１１−１と舌部１２−１ａ、１２−１ｂとの間、板状部材１１−３と舌部１２−３ａ、１２−３ｂとの間もそれぞれ図示しないヒンジで接続して、それぞれの間を屈曲可能に構成している。
【００７２】
このような構成によると、この寝具装置４０を略平面状に折り畳むことができ、これにより小さなスペースで収納可能になる。
【００７３】
図８は、図７に示した寝具装置の収納状態を説明する概略図である。
【００７４】
実施例４の寝具装置４０においては、図６に示したように、板状部材１１−４と板状部材１１−１との間、板状部材１１−１と板状部材１１−２との間、板状部材１１−２と板状部材１１−３との間、板状部材１１−３と板状部材１１−４との間がそれぞれ屈曲可能に構成されているので、まず、舌部１２−１ａ、１２−１ｂを板状部材１１−１の内側に曲げるとともに、舌部１２−３ａ、１２−３ｂを板状部材１１−３の内側に折り曲げ、次に、板状部材１１−１と板状部材１１−２との間、板状部材１１−３と板状部材１１−４との間を内側に折り曲げるとともに、板状部材１１−４と板状部材１１−１との間、板状部材１１−２と板状部材１１−３との間を外側に折り曲げる。
【００７５】
このようにすると、実施例４の寝具装置４０は、図８に示すように略平面状に折り畳むことがでる。
【００７６】
なお、本発明は上述の実施形態に限定されるものではなく、本発明の技術的思想の範囲内であれば、当業者の通常の創作能力によって多くの変形が可能である。
【符号の説明】
【００７７】
１…ヘッドボード
２…マットレス（下敷き具）
３…上掛け布団（上掛け具）
４…敷布団（下敷き具）
１０、２０、３０、４０…寝具装置
１１、１１−１、１１−２、１１−３、１１−４…板状部材
１２、１２−１ａ、１２−１ｂ、１２−３ａ、１２−３ｂ…舌部
１３、１３−１、１３−２、１３−４、１３−４…屈曲部
１３ａ…傾斜部
２１…ガイド部材
２２…ロックピン
１００、２００…ベッド
３００…寝具
【図１】
2014161424.tif 000003
【図２】
2014161424.tif 000004
【図３】
2014161424.tif 000005
【図４】
2014161424.tif 000006
【図５】
2014161424.tif 000007
【図６】
2014161424.tif 000008
【図７】
2014161424.tif 000009
【図８】
2014161424.tif 000010